(57)【特許請求の範囲】
【請求項１】
糊付機本体後面から引き入れたシート状壁装材を前面側へ送り出しながら糊桶に収容されている糊をロールで引き上げて前記壁装材の裏面に糊付けロールにより連続的に糊を塗布する壁紙糊付機において、
外部から糊桶内へ糊を補給する際の前記糊桶内の糊液面が予め定められた上限液面に達したことを検知する液面検知手段を備え、
前記液面検知手段は、前記糊付機本体に着脱可能に取付けられる検知器本体と、前記糊付機本体内の糊桶内部に突設された液面検知電極とを有し、
前記検知器本体は、前記糊付機本体に取付けられた状態で、糊桶外面側からの押圧接触により、前記液面検知電極と電気的な接続状態となることを特徴とする壁紙糊付機。
【請求項２】
前記液面検知電極は、前記糊桶の底面に該底面を貫通状態で設けられた下側電極と、一端側が糊桶後面から突出してその先端が前記糊液面上限高さに位置すると共に他端側が糊桶背面側に貫通状態で突出して設けられた上側電極と、を有し、
前記検知器本体は、第１と第２の接地面を有し、前記糊付機本体への取付け時に、第１の接地面が糊桶背面側で前記上側電極に押圧接触により電気的に接続され、第２の接地面が糊桶底裏面側で前記下側電極と押圧接触により電気的に接続されることを特徴とする請求項１に記載の壁紙糊付機。
【請求項３】
前記検知器本体および／または検知器本体からの電気的配線部は、前記糊付機本体に着脱可能に取付けられて糊付機本体へ搬送される前記壁装材の側縁部を裁断する壁紙裁断装置に、あるいは前記糊付機本体に着脱可能に取付けられる駆動制御器に設置されていることを特徴とする請求項１に記載の壁紙糊付機。
【発明の詳細な説明】
【０００１】
【発明の属する技術分野】
本発明は、室内壁面等に貼付されるシート状壁装材の裏面に連続的に糊を塗布する壁紙糊付機に関するものであり、詳しくは、ポンプ機構等により糊桶内に糊を連続的に自動供給する際の糊桶内糊量制御のための糊液面検知手段に関するものである。
【０００２】
【従来の技術】
現在、建築物の内装施工における壁装材の室内壁面への貼付は、現場で専用の壁紙糊付機を用いてシート状の壁装材に連続的に糊を塗布しながら行うのが一般的となっている。このような壁紙糊付機の一般的な構成としては、内部に複数のロールが配置された上部構体及び下部構体から主に構成される糊付機本体を脚部に支持された台座上に載置し、上下構体の間に挟み込んだシート状壁装材（以下、クロスと記す）をロールで搬送しながら糊付けロールで糊桶から糊をクロス裏面に転写していくものである。
【０００３】
従来より一般的な壁紙糊付機の構成は、下部構体上に原反ロールから繰り出したクロスを先端部が本体前面に垂れる状態で載置して上部構体を閉じて下部構体と上部構体の所定ロール間にクロスを挟み込んだ状態において、手動式ではクロス先端を持って前方へ引っ張ることによりクロスを上下で挟んでいるロールの一部を追従回転させると共に他のロールをギアを介して連動回転させてクロスを糊付機本体の後面から前面側へ搬送させるものである。この搬送の途中で糊桶内の糊をその回転によって引き上げているロールの頂点上にて該ロールから糊がクロス裏面に転写され、糊塗布済み状態で前面側から送り出されてくる。自動式装置では、所定のロールの軸を電動モータ等の駆動源に連結して回転させることによって、他のロールもギアを介して連動回転するものである。
【０００４】
クロス裏面への糊の塗布は、糊桶から糊を引き上げるロールで直接糊の転写を行う場合と、糊の引き上げ用の糊上げロールと糊塗布のための糊付けロールとを別に設け、糊上げロールから糊付けロールへ糊を転写する場合とがある。近年では、効率的で均一な糊付けを行えるという点で、自動式の壁紙糊付機の使用が好まれる。
【０００５】
【発明が解決しようとする課題】
しかし、糊付機は現場へ搬送してそこで組立てられ、使用後は分解して再び持ち帰って収納しておくものであるため、小型で軽量であることが望まれるが、自動壁紙糊付機は、モータ等の駆動部およびそのコントロール部とを備える分、手動式のものより大型化し、重量も増えてしまう。
【０００６】
従って、このような自動壁紙糊付機では、糊付機本体の構成によって小型軽量化を図る必要性が生じている。糊付機本体においてその大きさを決定するのは、主に糊桶である。しかしながら、単に糊桶を小さくしたのでは、頻繁に糊の供給を行わなければならなくなり、その度に作業が中断されて、効率的な糊付け作業が進められなくなってしまう。
【０００７】
そこで、装置外部の糊タンクから、ポンプ機構を使って糊桶内へ糊を連続的に自動供給する構成が採用されている。しかし、このようなポンプ機構によって糊を糊桶内に連続供給する場合、糊桶内で糊量が必要以上に増えて、クロス裏面への適量での糊塗布が困難となったり、糊桶から糊が溢れたりすることがないように、ポンプ機構の駆動を制御する必要がある。
【０００８】
このような制御方法としては、糊桶内の糊量限界値に応じた糊液面の上限高さ位置を定めておき、糊桶内の糊液面がこの所定の上限液面に達したことを検知する液面検知センサーを糊付機本体に設け、上限液面に達したというセンサーの信号を受けてポンプの駆動を一時停止するという方法が最も簡便な方法として従来から採用されている。
【０００９】
しかしながら、通常の壁紙糊付機は、糊付作業終了後に糊付機本体が水洗浄されるものであり、上記のような糊付機本体に設置されている液面センサーの配線等の電気系統の水濡れを回避することは困難であり、電気系統に濡れのないように充分な洗浄を行うには、格別の注意と手間が必要となってしまうという問題があった。
【００１０】
本発明は、上記問題点に鑑み、外部から糊桶内へ糊の補給を行う際に糊桶内の糊液面が上限位置に達したことを検知するための液面検知手段を備えた壁紙糊付機において、糊液面検知手段の電気系統への水濡れを回避可能でありながらも、糊付機本体の充分な洗浄を容易に行い得る壁紙糊付機の提供を目的とする。
【００１１】
【課題を解決するための手段】
上記目的を達成するため、請求項１に記載の発明に係る壁紙糊付機は、糊付機本体後面から引き入れたシート状壁装材を前面側へ送り出しながら糊桶に収容されている糊をロールで引き上げて前記壁装材の裏面に糊付けロールにより連続的に糊を塗布する壁紙糊付機において、外部から糊桶内へ糊を補給する際の前記糊桶内の糊液面が予め定められた上限液面に達したことを検知する液面検知手段を備え、前記液面検知手段は、前記糊付機本体に着脱可能に取付けられる検知器本体と、前記糊付機本体内の糊桶内部に突設された液面検知電極とを有し、前記検知器本体は、前記糊付機本体に取付けられた状態で、糊桶外面側からの押圧接触により、前記液面検知電極と電気的な接続状態となるものである。
【００１２】
また、請求項２に記載の発明に係る壁紙糊付機は、請求項１に記載の壁紙糊付機において、前記液面検知電極は、前記糊桶の底面に該底面を貫通状態で設けられた下側電極と、一端側が糊桶後面から突出してその先端が前記糊液面上限高さに位置すると共に他端側が糊桶背面側に突出して設けられた上側電極と、を有し、前記検知器本体は、第１と第２の接地面を有し、前記糊付機本体への取付け時に、第１の接地面が糊桶背面側で前記上側電極に押圧接触により電気的に接続され、第２の接地面が糊桶底裏面側で前記下側電極と押圧接触により電気的に接続されるものである。
【００１３】
また、請求項３に記載の発明に係る壁紙糊付機は、請求項１に記載の壁紙糊付機において、前記検知器本体および／または検知器本体からの電気的配線部は、前記糊付機本体に着脱可能に取付けられて糊付機本体へ搬送される前記壁装材の側縁部を裁断する壁紙裁断装置に、あるいは前記糊付機本体に着脱可能に取付けられる駆動制御部に設置されていることを特徴とするものである。
【００１４】
本発明においては、糊桶内の糊液面が予め定められた上限液面位置に達したことを検知するための液面検知手段の検知器本体が、糊付機本体に着脱可能に取付けられるた際に、検知器本体と糊桶側に設けられているた液面検知電極とが糊桶外面側からの押圧接触により電気的に接続するものとすることによって、糊付機本体側には電極だけが設けられているだけで、検知器本体の糊付機本体からの取り外しと同時に電気的接続が切断されるものであるため、検知器本体が取り外された糊付機本体には、配線等の電気系統がなく、水濡れの心配なく充分な水洗浄が容易に行える。
【００１５】
液面検知手段の具体的構成としては、上側電極の先端を糊桶内の所定上限液面位置に設定し、糊桶内の底面側に下側電極を設置し、糊桶内に満たされていった糊が上下電極同士を通電させたときの信号を検知すれものとすれば、液面が上側電極の先端に達した、即ち、液面が上限液面位置に達したことが簡単に検知できる。
【００１６】
このような検知方法を用いる場合、検知器本体の糊付機本体の着脱と同時に検知器本体と電極との電気的な接続・切断が行われるように、上側電極は一端側が糊桶後面から突出してその先端が糊液面上限高さに位置すると共に他端側が糊桶背面側に突出するように設け、下側電極は糊桶の底面に該底面を貫通する状態で設け、検知器本体が糊付機本体に取付けられた際に、検知器本体に設けられた第１と第２の接地面に、それぞれ糊桶背面側で上側電極が、また糊桶底裏面側で下側電極が押圧接触により電気的に接続するものとすれば良い。
【００１７】
また、糊付機本体に着脱可能に取付けられる検知器本体または検知器本体からの電気的配線部は、別体の装置構成とするのに限らず、糊付機本体に着脱可能に取付けらる壁紙裁断装置、あるいは糊付機本体に着脱可能に取付けられる駆動制御部に設置すれば、これらの装置の糊付機本体への着脱で検知器本体の糊付機本体への着脱を同時に行うことができ、壁紙糊付機の組立のための作業工程が簡便になる。
【００１８】
本発明における液面検知手段は、自動壁紙糊付機に限らず、手動式の壁紙糊付機においても、上部構体を取り外したり、糊桶を本体から引き出すことなく外部から糊桶内に糊を補給する場合であれば有効である。特に、ポンプ機構を用いて糊を連続的に自動供給する場合には、糊量制御が簡便に行える。この際、液面検知手段による液面検知の信号を受けて自動的にポンプ機構の駆動を制御する構成とすれば、糊付け作業のさらなる自動化が図れる。
【００１９】
【発明の実施の形態】
本発明の一実施形態として、糊付機本体に着脱可能に取付けられ、各種ロールを回転させるための駆動機構を搭載して糊付機の駆動を制御するためのコントロール部内に備えられた液面検知器本体と、糊桶に設けられた上下電極とから構成され、これら電極と検知器本体とを接続する電気系統の配線部が、糊付機本体の後面部に取付けられるスリッタ（壁紙裁断装置）内に配置されてなる液面検知手段を備えた自動壁紙糊付機を図１〜図３に示す。
【００２０】
図１は、本実施形態による自動壁紙糊付機の構成を示す概略側面図であり、図２は本糊付機の糊桶内部の構成を示す概略部分斜視図である。図３は本糊付機の検知器本体に接続する配線（スリッタ内）と糊桶側電極との接地部の構成を示す説明図であり、（ａ）は糊桶背面側の部分模式図、（ｂ）はスリッタ前面側の部分模式図である。
【００２１】
本壁紙糊付機は、糊付機本体１内のロール構成が、基本的に従来の自動壁紙糊付機と同様のものであり、下部構体２側では、糊付機本体１が載置される台座４０の脚部４１の糊付機本体１後方両側に設けられたクロス支持棒に軸支された原反ロールＲから繰り出されるクロスＣを、糊付機本体１内に後面から取り込むためのピンチロールを構成する下側送り出しロール５と、糊桶４内の糊をクロス裏面に転写塗布する糊付けロール７と、該糊付けロール７に接して糊量を調節するドクターロール６と、クロスＣの裏面に塗布された糊を均しながら前面方向へ送り出す均しロール８とが、互いにギアを介して連動可能にかつ所定間隔を持って平行に配列されている。
【００２２】
下部構体２に対して開閉可能に取付けられた上部構体３側では、内部に前記下側送り出しロール５と対になってピンチロールを構成する上側ピンチロール９と、下部構体２内に配列されているロールにギアを介して連動されてクロスＣに糊付機本体１前面方向への送り出し張力を付与するためのドライブロール１１と、これら上側ピンチロール９とドライブロール１１との間でクロスＣを上から押さえる押さえステーまたは押さえロール１０とが、互いに所定間隔で平行に配列されている。
【００２３】
なお、本実施形態では、糊付機本体１とは別に用意される糊容器３０から、ポンプ装置３１を用いて糊桶４内に連続的な糊の自動供給を行うものについて説明する。糊付機本体１には、ロールを回転させるためのモータ駆動源およびこれを駆動制御するコントロール部２５（駆動制御器）が着脱可能に取付けられるものである。このコントロール部２５は、ポンプ装置３１の駆動部にも接続されて、ポンプ装置３１の駆動及び停止も制御する。基本的にポンプ装置３１の駆動は、糊付機本体１側の駆動と同期させ、糊付機が運転されている間中は、糊桶４内へ糊を連続的に自動供給するものである。
【００２４】
さらに、本壁紙糊付機は、糊桶４内へのポンプ装置３１による糊の連続供給において、糊供給量が必要以上となることがないよう、糊液面が上限位置に達したことを検知して、検知信号をコントロール部２５へ発信する液面検知手段を備えたものである。コントロール部２５は、液面検知手段からの検知信号を受けて、該信号が停止するまでポンプ装置３１の駆動を一次停止させるものである。このような制御機構によって、糊桶４内で糊が常に上限位置以下に維持されながら、ポンプ装置３１による自動供給が進行される。
【００２５】
本壁紙糊付機における液面検知手段は、糊桶４側に設けられた電極と、コントロール部２５内に搭載された検知器本体と、糊付機本体後面に着脱可能に取付けられて糊付機本体１へ搬送されるクロスＣの側縁部を回転刃２１で裁断するためのスリッタ２０内に設置され、該スリッタ２０の糊付機本体１への取付け時に前記電極と検知器本体とを電気的に接続する配線部とから構成されるものである。
【００２６】
即ち、糊桶４には、一端側が糊桶後面４ｘから突出してその先端が前記糊液面上限高さに位置すると共に他端側が糊桶背面側に貫通状態で突出して設けられた上側電極１５と、糊桶４の底面４ｙに該底面４ｙを貫通状態で設けられた下側電極１６とが備え付けられており、スリッタ２０には、糊付機本体１後面に取付けられた際にこれら上側電極１５と下側電極１６の糊桶外面側および底裏面側から突出している端部に当接する部分に、それぞれ両電極と押圧接触する第１の接地面２２および第２の接地面２３が設けられている。
【００２７】
スリッタ２０は、内部にコントロール部２５内の検知器本体と接続される配線が設置されており、第１及び第２の接地面（２２，２３）と上側電極１５および下側電極１６の端部との押圧接触により、これら電極と検知器本体とを電気的な接続状態とするものである。
【００２８】
以上の如き構成を備えた本実施形態の壁紙糊付機においては、コントロール部２５を介した指令で各駆動部の駆動を開始させて糊付機の運転駆動を始めると同時に、ポンプ装置３１による糊容器３０内の糊の糊桶４内への連続供給を開始し、液面検知本体も検知モードにする。
【００２９】
通常、ポンプ装置３１による糊桶４への糊供給流量は、時間の経過に伴って糊桶内の糊量減少が生じないように、糊付機の糊塗布作業による糊使用量に対して、同一以上の供給流量としている。
【００３０】
従って、糊付機の運転の時間経過に伴って、糊桶４内の糊は増量傾向を示すが、糊桶４での増量に伴う液面上昇で、前記上限位置に達して上側電極１５の先端に液面が触れると、底部の下側電極１６との間で通電され、液面検知信号がスリッタ２０内の配線を介して検知器本体内で発生し、コントロール部２５のポンプ駆動制御部に発信される。この液面検知信号受信に応じて、コントロール部２５はポンプ装置３１の駆動を一次停止するよう指令する。
【００３１】
このポンプ装置３１の駆動停止状態で、さらに糊付け作業が進行すれば、糊塗布による糊使用に伴って、糊桶４内の糊量も減少し、糊液面は下降して、上側電極１５の先端部から離れ、下側電極１６との通電が切れる。これによって、液面検知信号が消え、コントロール部２５では検知信号の非受信によりポンプ駆動制御を切換えて再びポンプ装置３１の駆動を開始し、糊供給を再開させる。
【００３２】
糊付機運転中は、以上の動作が繰り返されるため、常に、糊桶４内には、上限位置以下で糊が満たされ、糊付け作業が中断されることなく良好に進行できる。
糊付け作業が終了し、糊付機の運転の停止と共にポンプ装置３１の駆動および液面検知器本体の検知モードを停止したら、糊付機本体１はコントロール部２５およびスリッタ２０が取り外されて水洗浄されるが、コントロール部２５およびスリッタ２０が取り外された時点で、検知器側の配線との接続も切れるため、電気系統への水濡れの心配もなく、容易に充分な洗浄を行える。
【００３３】
以上のように、本実施形態の糊付機においては、液面検知手段の電気系統と糊付機本体とは、配線部を含む検知器本体の糊付機本体への取付け時の接地面での押圧接触のみで電気的な接続状態となるものであるため、配線部を含む検知器本体側の取り外しによって容易に電気的接続が切れ、取り外し後の糊付機本体には、電気系統が残らないため、糊付け作業後の糊付機本体の水洗浄が容易に且つ充分に行える。
【００３４】
なお、以上の実施形態では、液面検知手段の検知器本体をコントロール部２５内に設け、検知器本体と糊桶４側の電極とを接続する配線部をスリッタ２０内に設ける構成を示したが、本発明では、これに限定されるものではなく、配線部を含む検知器本体を、これらコントロール部２５やスリッタ２０とは別体に設けて糊付機本体に着脱可能に取付けられる構成としても良い。また、設計上可能であれば、検知器本体をもスリッタ２０内に搭載させる構成としてもよい。
【００３５】
【発明の効果】
以上説明したとおり、本発明の壁紙糊付機によれば、液面検知手段の電気系統と糊付機本体とは、配線部を含む検知器本体の糊付機本体への取付け時の接地面での押圧接触のみで電気的な接続状態となるものであるため、配線部を含む検知器本体側の取り外しによって容易に電気的接続が切れ、取り外し後の糊付機本体には、電気系統が残らないため、糊付け作業後の糊付機本体の水洗浄が容易に且つ充分に行えるという効果がある。
【図面の簡単な説明】
【図１】本発明の一実施形態による自動壁紙糊付機の概略構成図である。
【図２】図１に示した自動壁紙糊付機の糊桶内構造を示す概略模式図である。
【図３】図１に示した自動壁紙糊付機の検知器本体に接続する配線（スリッタ内）と糊桶側電極との接地部の構成を示す説明図であり、（ａ）は糊桶背面側の部分模式図、（ｂ）はスリッタ前面側の部分模式図である。
【符号の説明】
１：糊付機本体
２：下部構体
３：上部工程
４：糊桶
４ｘ：糊桶後面
４ｙ：糊桶底面
５：下側送り出しロール
６：ドクターロール
７：糊付けロール
８：均しロール
９：上側ピンチロール
１０：押さえロール
１１：ドライブロール
１５：上側電極
１６：下側電極
２０：スリッタ
２１：回転刃
２２：第１の接地面
２３：第２の接地面
２５：コントロール部
３０：糊容器
３１：ポンプ装置
４０：台座
４１：脚部
Ｃ：クロス
Ｒ：クロス原反ロール
【図１】
0004553280.tif 000002
【図２】
0004553280.tif 000003
【図３】
0004553280.tif 000004